(57)【要約】【課題】  回転初期における回転トルクを大きくすることなく、回転時にグリースを転走面に供給して、すべりによる潤滑不良を改善できるスラストころ軸受の保持器を提供する。【解決手段】  スラストころ軸受の保持器1は、内径側円環部3と外径側円環部4が複数の柱部5で連結されて、これらの間にころ2を保持する複数のポケット6が形成されたものである。内径側円環部3のポケット6に面する円筒状の隔壁3aの内径側に円環状の潤滑剤溜まり7が設けられ、上記隔壁3aに、潤滑剤溜まり7とポケット6を連通する潤滑剤供給孔8が形成されている。【選択図】  図１
2012021578.tif 000002
【特許請求の範囲】
【請求項１】
内径側円環部と外径側円環部が複数の柱部で連結されて、これらの間にころを保持する複数のポケットが形成されたスラストころ軸受の保持器において、
内径側円環部のポケットに面する円筒状の隔壁の内径側に円環状の潤滑剤溜まりが設けられ、上記隔壁に、潤滑剤溜まりとポケットを連通する潤滑剤供給孔が形成されていることを特徴とするスラストころ軸受の保持器。
【請求項２】
内径側円環部が、ポケットに面する円筒状の隔壁と、この隔壁から内径側にのびた円環状の端壁と、この端壁から上記隔壁の内径側を軸方向にのびた円筒壁とを備え、これら隔壁、端壁および円筒壁で囲まれた断面Ｕ状の部分が潤滑剤溜まりとなっていることを特徴とする請求項１のスラストころ軸受の保持器。
【発明の詳細な説明】
【技術分野】
【０００１】
この発明は、スラストころ軸受の保持器に関する。
【背景技術】
【０００２】
スラストころ軸受として、円環状の保持器に複数のころが保持されたものが知られている（たとえば特許文献１参照）。
【０００３】
このようなスラストころ軸受の保持器は、内径側円環部と外径側円環部が複数の柱部で連結されて、これらの間にころを保持する複数のポケットが形成されたものである。保持器は、金属のプレス成形品または合成樹脂の成形品である。
【先行技術文献】
【特許文献】
【０００４】
【特許文献１】特開２００８−２７５０９７号公報
【発明の開示】
【発明が解決しようとする課題】
【０００５】
上記のようなスラストころ軸受を回転軸などの回転体に組み込んだ場合、ころが転送する回転体の転送面の内周側と外周側とで周速に差があるため、転送面に対するころのすべりが発生する。そして、ころのすべりにより、発熱が生じ、潤滑が不十分であると、焼き付きが生じることがある。
【０００６】
これを防止するため、通常は、保持器のポケットの部分にグリースを封入することが行われるが、グリースの封入量が多いと、回転初期における攪拌抵抗が大きくなり、回転トルクが大きくなってしまう。また、グリースが遠心力により転送面の外周側に溜まって、内周側の潤滑が不足することがある。
【０００７】
この発明の目的は、上記の問題を解決し、回転初期における回転トルクを大きくすることなく、回転時にグリースを転走面に供給して、すべりによる潤滑不良を改善できるスラストころ軸受の保持器を提供することにある。
【課題を解決するための手段】
【０００８】
この発明によるスラストころ軸受の保持器は、内径側円環部と外径側円環部が複数の柱部で連結されて、これらの間にころを保持する複数のポケットが形成されたスラストころ軸受の保持器において、内径側円環部のポケットに面する円筒状の隔壁の内径側に円環状の潤滑剤溜まりが設けられ、上記隔壁に、潤滑剤溜まりとポケットを連通する潤滑剤供給孔が形成されていることを特徴とするものである。
【０００９】
たとえば、内径側円環部が、ポケットに面する円筒状の隔壁と、この隔壁から内径側にのびた円環状の端壁と、この端壁から上記隔壁の内径側を軸方向にのびた円筒壁とを備え、これら隔壁、端壁および円筒壁で囲まれた断面Ｕ状の部分が潤滑剤溜まりとなっている。
【００１０】
潤滑剤は、たとえば、グリースである。
【００１１】
保持器のポケットにころを保持させることにより、スラストころ軸受が構成される。スラストころ軸受を回転体に組み込む前に、潤滑剤溜まりに潤滑剤、たとえば、グリースを封入しておく。このとき、ポケットの部分にも適量のグリースを塗布しておくのが望ましいが、なくてもよい。
【００１２】
スラストころ軸受が組み込まれた回転体が回転すると、それに伴って、保持器も回転する。この回転による遠心力により、潤滑剤溜まり内のグリースが潤滑剤供給孔を通ってポケット内に補充され、転送面に供給される。したがって、初期にポケット内に大量のグリースを封入しておかなくても、潤滑不足になることがない。また、グリース溜まり内のグリースは、潤滑剤供給孔から徐々にポケットに供給されるので、内周側の潤滑が不足することもない。
【発明の効果】
【００１３】
この発明のスラストころ軸受の保持器によれば、上記のように、回転初期における回転トルクを大きくすることなく、回転時にグリースを転走面に供給して、すべりによる潤滑不良を改善することができる。
【図面の簡単な説明】
【００１４】
【図１】図１は、この発明の実施形態を示すスラストころ軸受の主要部の縦断面図である。
【図２】図２は、図１のスラストころ軸受の主要部の斜視図である。
【発明を実施するための形態】
【００１５】
以下、図面を参照して、この発明の実施形態について説明する。
【００１６】
図１はスラストころ軸受の１例を示す縦断面図、図２は同斜視図である。図１において、左右方向が軸受の径方向であり、右側が軸受の内径側、左側が外径側である。また、図１の上下方向が、軸受の軸方向である。以下の説明において、図１の上下を上下とする。
【００１７】
スラストころ軸受は、円環状の保持器(1)と、これに保持された複数の円筒ころ(2)とから構成されている。
【００１８】
保持器(1)は、内径側円環部(3)と外径側円環部(4)が複数の柱部(5)で連結されて、これらの間にころ(2)を保持する複数のポケット(6)が形成されたものである。
【００１９】
内径側円環部(3)は、上部が柱部(5)に連なってポケット(6)に面する円筒状の内径側隔壁(3a)と、内径側隔壁(3a)の下部から内径側にのびた円環状の端壁(3b)と、端壁(3b)から隔壁(3a)の内径側を軸方向上側にのびた最内径側円筒壁(3c)とを備えている。そして、隔壁(3a)、端壁(3b)および円筒壁(3c)で囲まれた断面Ｕ状で全体として環状の空間が潤滑剤溜まり(7)となっている。各ポケット(6)に対応する内径側隔壁(3a)に、それぞれ、潤滑剤溜まり(7)とポケット(6)を連通する潤滑剤供給孔(8)が形成されている。
【００２０】
外径側円環部(4)は、上部が柱部(5)に連なってポケット(6)に面する円筒状の外径側隔壁(4a)と、この隔壁(4a)の下部から上側に折り返されて隔壁(4a)の外径側に重ねられた最外径側円筒壁(4b)とを備えている。
【００２１】
各柱部(5)は、内外の隔壁(3a)(4a)の上部に連なって径方向にのび、その中間部が下側に屈曲させられて、内径側上向き突部(5a)、中間下向き突部(5b)および外径側上向き突部(5c)が形成されている。各ポケット(6)におけるこれら突部(5a)(5b)(5c)の対向部がころ抜止部となっている。
【００２２】
保持器(1)は金属製、たとえば鋼製で、板状部品からポケット(6)になる部分を打ち抜くとともに、潤滑剤供給孔(8)を形成した後に、プレス成形により成形される。
【００２３】
保持器(1)のポケット(6)にころ(2)を保持させることにより、スラストころ軸受が構成される。ポケット(6)に入れられたころ(2)は、ポケット(6)の周方向両側に位置する突部(5a)(5b)(5c)により保持される。スラストころ軸受を回転体に組み込む前に、潤滑剤溜まり(7)に潤滑剤であるグリース(G)を封入しておく。このとき、ポケット(6)の部分にも適量のグリースを塗布しておくのが望ましいが、なくてもよい。
【００２４】
スラストころ軸受が組み込まれた回転体が回転すると、それに伴って、保持器(1)も回転する。この回転による遠心力により、潤滑剤溜まり(7)内のグリース(G)が潤滑剤供給孔(8)を通ってポケット(6)内に補充される。したがって、初期にポケット(6)内に大量のグリースを封入しておかなくても、潤滑不足になることがない。また、グリース溜まり(7)内のグリース(G)は、潤滑剤供給孔(8)から徐々にポケット(6)に供給されるので、内周側の潤滑が不足することもない。
【００２５】
上記実施形態では、各ポケット(6)に対して、１つの潤滑剤供給孔(8)が設けられているが、複数の潤滑剤供給孔が設けられてもよい。潤滑剤供給孔の数および大きさは、回転により適量のグリースがポケット(6)に供給されるように決められる。
【００２６】
グリースの代わりに、含油樹脂やポリマー潤滑剤を潤滑剤溜まり(7)に封入し、軸受の回転停止時に余分な油分を回収する構造にすれば、より長く潤滑剤の保持が可能になる。
【００２７】
スラストころ軸受および保持器の構成は、上記実施形態のものに限らず、適宜変更可能である。
【符号の説明】
【００２８】
(1)    保持器
(3)    内径側円環部
(3a)    内径側隔壁
(3b)    端壁
(3c)    最内径側円筒壁
(4)    外径側円環部
(5)    柱部
(6)    ポケット
(7)    潤滑剤溜まり
(8)    潤滑剤供給孔
【図１】
2012021578.tif 000003
【図２】
2012021578.tif 000004